(57)【要約】【課題】水貫を何度も再利用できるようにすること。【解決手段】建築用器具１は、水糸を張る釘が通る開口部１１ｂを有する矩形の基部１１と、基部１１の少なくとも一辺に設けられ、釘により基部１１が水貫に取り付けられたときに水貫の側部に位置し、建物の柱または壁の位置を表す印を備える側板１２、１３とを有する。【選択図】図１
2019219335.tif 000002
【特許請求の範囲】
【請求項１】
水糸を張る釘が通る開口部を有する矩形の基部と、
前記基部の少なくとも一辺に設けられ、釘により前記基部が水貫に取り付けられたときに前記水貫の側部に位置し、建物の柱または壁の位置を表す印を備える側板と、
を有することを特徴とする建築用器具。
【請求項２】
前記基部と前記側板はコの字型をなし、前記水貫の両側部に配置される請求項１に記載の建築用器具。
【請求項３】
前記側板は、前記基部の基端側から先端側に向かうにつれて、当該側板間の幅が漸減するように形成されている請求項２に記載の建築用器具。
【発明の詳細な説明】
【技術分野】
【０００１】
本発明は建築用器具に関する。
【背景技術】
【０００２】
建築物の基準となる高さを表示するベンチマーク表示具が知られている。例えば、電柱、擁壁等の固定物に固着される本体に該本体の所定の部位が基準高さであることを示す標識を設けるとともに、該標識に関する情報を記載した情報シートを本体に着脱自在に取り付けるようにしたベンチマーク表示具が知られている。
【先行技術文献】
【特許文献】
【０００３】
【特許文献１】特開平９−８９５６６号公報
【発明の概要】
【発明が解決しようとする課題】
【０００４】
建物の正確な位置を出す方法として遣り方が知られている。
【０００５】
位置出しをする際に水貫に直接炭で印をつけると、その水貫を再利用するためにはやすりで削ったりすることが考えられる。しかしながら、大部分の水貫は再利用されずに捨てられているのが現状である。
１つの側面では、本発明は、水貫を何度も再利用できるようにすることを目的とする。
【課題を解決するための手段】
【０００６】
上記目的を達成するために、開示の建築用器具が提供される。この建築用器具は、水糸を張る釘が通る開口部を有する矩形の基部と、基部の少なくとも一辺に設けられ、釘により基部が水貫に取り付けられたときに水貫の側部に位置し、建物の柱または壁の位置を表す印を備える側板と、を有している。
【発明の効果】
【０００７】
１態様では、水貫を何度も再利用できるようにすることができる。
【図面の簡単な説明】
【０００８】
【図１】実施の形態の建築用器具を示す図である。
【図２】実施の形態の建築用器具を示す図である。
【図３】実施の形態の建築用器具の使用例を説明する図である。
【図４】遣り方の一例を説明する図である。
【図５】第２の実施の形態の建築用器具を示す図である。
【図６】第２の実施の形態の建築用器具を示す図である。
【発明を実施するための形態】
【０００９】
以下、実施の形態の建築用器具を、図面を参照して詳細に説明する。
＜第１の実施の形態＞
図１および図２は、実施の形態の建築用器具を示す図である。
実施の形態の建築用器具１は、これから建てる建築物の正確な位置を決めるために設ける遣り方に用いる。
遣り方は、柱・壁などの位置、高さの基準となる水平線を標示するために、敷地に設ける仮設物である。
実施の形態の建築用器具１は、水貫に対応する形状をなしている。
具体的には、建築用器具１は、側面視でコの字をなしており、基部１１と、側部（側板）１２、１３とを有している。
本実施の形態では、基部１１の長辺の長さは１７０ｍｍ、短辺の長さは１５ｍｍである。
【００１０】
基部１１には、少なくとも１つ（図１では３つ）の開口部（釘穴）１１ａ、１１ｂ、１１ｃが設けられている。本実施の形態では、短辺から開口部１１ａ、１１ｃまでの長さはそれぞれ１０ｍｍ、開口部１１ａ、１１ｂとの間隔、および開口部１１ｂ、１１ｃの間隔はそれぞれ７５ｍｍである。
また、側部１２、１３の短辺の長さは８５ｍｍである。
【００１１】
側部１２、１３は、基端側（基部１１側）から先端側に向かうにつれて、側部１２、１３間の幅が若干狭まるように形成されている。具体的には、側部１２、１３の先端部の間隔ｈ１は、１０ｍｍである。
【００１２】
基端側（基部１１側）から先端側に向かうにつれて、側部１２、１３間の幅が漸減する（若干狭まる）ように形成されている。これにより、建築用器具１を後述する水貫に通したときに水貫との摩擦が大きくなり、建築用器具１の水貫に対する位置ずれを抑制することができる。
側部１２には、開口部１１ｂに対応して設けられ、基礎（建物）の中心線を示す印１２ｂが設けられている。
【００１３】
また、側部１２には、開口部１１ａ、１１ｃに対応してそれぞれ印１２ａ、１２ｃが設けられている。これらの印１２ａ〜１２ｃは、罫書きや印刷等により側部１２に設けてもよいし、凹部や凸部、切り込み等、側部１２の一部を加工して設けてもよい。印１２ａ〜１２ｃは、貫通していてもよいし、非貫通でもよい。
側部１３においても側部１２と同様に印が設けられていてもよい。
次に、実施の形態の建築用器具１を用いた遣り方の一例を説明する。
図３は、実施の形態の建築用器具の使用例を説明する図である。
図４は、遣り方の一例を説明する図である。なお、図４では開口部１１ａ〜１１ｃおよび印１２ａ〜１２ｃへの符号付けを省略している。
【００１４】
まず、設定ＧＬ（基準となる地面の高さ）を決める。その後、一定間隔（例えば約１．８ｍ間隔）に水杭２を立てる。そして、水平ライン（基礎の上端の高さ）を記し水貫３でつないでいく。
そして、水杭２と水貫３が動かないように、筋交い貫４を斜めに打ち付けて固定する。
更に、水貫３の側部の水糸を張る箇所に釘などで軽く位置決め用のキズをつける。
そして建築用器具１の側部１２、１３で水貫３を挟み込むように差し込み、水貫３の長手方向にスライドさせ、開口部１１ｂからキズが見える位置に動かす。
【００１５】
開口部１１ｂを通して水貫３に釘５をうちつける。これにより建築用器具１が固定される。その後、水貫３と水貫３の間に水糸６を張って、基礎（建物）の中心線を印す。
【００１６】
以上述べたように、建築用器具１によれば、水糸６を張る釘５が通る開口部１１ｂを有する矩形の基部１１と、基部１１の少なくとも一辺に設けられ、釘５により基部１１が水貫３に取り付けられたときに水貫３の側部に位置し、建物の柱または壁の位置を表す印を備える側板１２、１３とを有する。
従って、水貫３に直接罫書きをしないため、建築物の建築が終了し、遣り方を解体した後の水貫３を何度も再利用することができる。
【００１７】
また、一度水貫に印を付けてしまった場合にその印が誤りだった場合は、その印の上に×印をつけて再度新たな印をつける等の実務が行われているが、実施の形態の建築用器具１を用いれば、釘５を水貫３から取り外して建築用器具１の位置をずらせばよいので位置の修正も容易である。
＜第２の実施の形態＞
次に、第２の実施の形態の建築用器具について説明する。
【００１８】
以下、第２の実施の形態の建築用器具について、前述した第１の実施の形態の建築用器具との相違点を中心に説明し、同様の事項については、その説明を省略する。
図５および図６は、第２の実施の形態の建築用器具を示す図である。
図５および図６に示す第２の実施の形態の建築用器具１ａは、側部１３が設けられておらず、側部１２のみが設けられている。
【００１９】
第２の実施の形態の建築用器具１ａによれば、第１の実施の形態の建築用器具１と同様の効果が得られる。そして、建築用器具１ａによれば、水貫３の板厚にかかわらず、釘を用いて建築用器具１ａを水貫３に取り付けることができる。
【００２０】
以上、本発明の建築用器具を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００２１】
１、１ａ  建築用器具
２  水杭
３  水貫
４  筋交い貫
５  釘
６  水糸
１１  基部
１１ａ、１１ｂ、１１ｃ  開口部
１２、１３  側部
１２ａ、１２ｂ、１２ｃ  印
【図１】
2019219335.tif 000003
【図２】
2019219335.tif 000004
【図３】
2019219335.tif 000005
【図４】
2019219335.tif 000006
【図５】
2019219335.tif 000007
【図６】
2019219335.tif 000008